(57)【要約】【課題】眼鏡１の装着時、衝撃力でフレーム２からレンズ部材５が外れることを防ぐ。【解決手段】フレーム２の両端部に、第１ヒンジ４によって、テンプル３の基端部１１が設けられ、このテンプル３の基端部１１には、ロック機構１５を構成するロック保持部１２が設けられる。レンズ部材５の両端部に形成された第１係止部である係止孔２３には、フレーム２の両端部に設けられた第２係止部である係止凸部３８が挿脱可能に嵌まり込む。係止片７の基端部１３は、第２ヒンジ８によってフレーム２の両端部に設けられ、この係止片７の基端部１３には、ロック機構１５を構成するもう１つの部材であるロック部１４が設けられる。テンプル３が開いた眼鏡使用状態では、係止片７の遊端部４１は係止凸部３８の先端部３９に当接または近接しており、ロック保持部１２は、ロック部１４と協働して、係止片７の閉じた状態を保持する。係止凸部３８は永久磁石片によって構成され、その係止凸部３８の先端部３９と係止片７の遊端部４１との間に磁気吸引力を発生する。【選択図】      図１
2004325512.tif 000002
【特許請求の範囲】
【請求項１】
フレームに、テンプルが、ヒンジによって、開閉可能に設けられ、
フレームに、レンズ部材が着脱自在に設けられ、
テンプルの前記ヒンジによる開閉に連動して、テンプルを開いた眼鏡使用状態で、レンズ部材のフレームからの離脱を防止し、かつ
テンプルを閉じた眼鏡不使用状態で、レンズ部材のフレームからの離脱を許容するロック機構が、設けられることを特徴とする眼鏡。
【請求項２】
（ａ）フレームに、テンプルの基端部が、ヒンジによって設けられ、
（ｂ）両端部に第１係止部が形成されるレンズ部材と、
（ｃ）フレームに設けられ、第１係止部に係止および離脱自在である第２係止部と、
（ｄ）係止片であって、
この係止片の基端部は、フレームに角変位可能に設けられ、
係止片の遊端部は、係止片の開いた状態で、レンズ部材が取外し可能に、第２係止部の先端部から離間し、
係止片の閉じた状態で、第２係止部の先端部に当接または近接してレンズ部材の取外しを防ぐ係止片と、
（ｅ）テンプルの前記基端部に設けられるロック保持部と、
（ｆ）ロック部であって、
係止片の前記基端部に設けられ、
テンプルがヒンジによって開いた眼鏡使用状態で、ロック保持部によって、係止片の閉じた状態を保持し、
テンプルがヒンジによって閉じた眼鏡不使用状態で、ロック保持部によって、係止片の開いた状態を許容するロック部とを含むことを特徴とする眼鏡。
【請求項３】
係止片の遊端部と第２係止部の先端部との近接する方向の磁気吸引力を、永久磁石片によって発生することを特徴とする請求項２記載の眼鏡。
【請求項４】
（ａ）フレームの両端部に、テンプルの基端部が、第１ヒンジによって設けられ、
（ｂ）両端部に、係止孔がそれぞれ形成されるレンズ部材と、
（ｃ）係止片であって、
この係止片の基端部は、フレームを前記両端部に、第１ヒンジの軸線と一仮想平面内で平行な軸線を有する第２ヒンジによって、設けられ、
係止片の遊端部は、係止片の開いた状態で、レンズ部材が取外し可能に係止凸部の先端部から離間し、
係止片の閉じた状態で、係止凸部の先端部に当接または近接してレンズ部材の取外しを防ぐ係止片と、
（ｄ）フレームの前記両端部よりも中央寄りに、それぞれ突設され、前記係止孔に挿脱自在に嵌まり込む係止凸部と、
（ｅ）テンプルの基端部に設けられるロック保持部と、
（ｆ）ロック部であって、
係止片の前記基端部に設けられ、
テンプルが第１ヒンジによって開いた眼鏡使用状態で、ロック保持部によって、係止片の閉じた状態を保持し、
テンプルが第１ヒンジによって閉じた眼鏡不使用状態で、ロック保持部によって、係止片の開いた状態を許容するロック部とを含むことを特徴とする眼鏡。
【請求項５】
係止凸部は、永久磁石片から成り、係止片の遊端部を磁気吸引することを特徴とする請求項４記載の眼鏡。
【請求項６】
レンズ部材は、フレームに前掛け態様で設けられことを特徴とする請求項１〜５のうちの１つに記載の眼鏡。
【発明の詳細な説明】
【０００１】
【発明の属する技術分野】
本発明は、たとえばサングラスなどの眼鏡に関し、特にフレームにレンズ部材をたとえば前掛け態様で、または内掛け態様で着脱することができる眼鏡に関する。
【０００２】
【従来の技術】
前掛けフレームまたは前掛け眼鏡と呼ぶレンズ部材を、フロントフレームまたは眼鏡に、永久磁石片の磁気吸引力を利用して着脱可能に装着する先行技術（特許文献１，２参照）では、レンズ部材が、大きな衝撃力でフロントフレームまたは眼鏡から外れてしまうおそれがあるという問題がある。このことは内掛けフレームをフロントフレームの内側、すなわちフロントフレームよりも目寄り）に取付ける眼鏡でも同様である（前述の特許文献１参照）。
【０００３】
【特許文献１】
特開２００２−２２１６９５
【特許文献２】
特開２００２−２６８０１８
【０００４】
【発明が解決しようとする課題】
本発明の目的は、眼鏡の装着時、衝撃力によってレンズ部材がフレームから外れてしまわないようにした眼鏡を提供することである。
【０００５】
【課題を解決するための手段】
本発明は、フレームに、テンプルが、ヒンジによって、開閉可能に設けられ、
フレームに、レンズ部材が着脱自在に設けられ、
テンプルの前記ヒンジによる開閉に連動して、テンプルを開いた眼鏡使用状態で、レンズ部材のフレームからの離脱を防止し、かつ
テンプルを閉じた眼鏡不使用状態で、レンズ部材のフレームからの離脱を許容するロック機構が、設けられることを特徴とする眼鏡である。
【０００６】
本発明に従えば、フレーム２にはレンズ部材が、前掛け態様で、または内掛け態様で着脱自在に設けられ、このフレームには、レンズが設けられていなくてもよく、またはレンズが設けられていてもよい。レンズ部材５は、たとえばサングラスの働きを果たす橙色、水色などに着色されたレンズを有してもよい。フレームには、テンプル３がヒンジ４によって開閉可能に設けられており、テンプルを開いた眼鏡使用状態では、ロック機構１５が、そのテンプルの開いた動作に連動して、レンズ部材がフレームから離脱することを防止する。これによって眼鏡使用状態で、大きな衝撃力が作用しても、フレームからレンズ部材が離脱してしまうおそれがない。
【０００７】
テンプルを閉じた眼鏡不使用状態では、ロック機構は、レンズ部材のフレームからの離脱を可能に許容する。
【０００８】
また本発明は、（ａ）フレームに、テンプルの基端部が、ヒンジによって設けられ、
（ｂ）両端部に第１係止部が形成されるレンズ部材と、
（ｃ）フレームに設けられ、第１係止部に係止および離脱自在である第２係止部と、
（ｄ）係止片であって、
この係止片の基端部は、フレームに角変位可能に設けられ、
係止片の遊端部は、係止片の開いた状態で、レンズ部材が取外し可能に、第２係止部の先端部から離間し、
係止片の閉じた状態で、第２係止部の先端部に当接または近接してレンズ部材の取外しを防ぐ係止片と、
（ｅ）テンプルの前記基端部に設けられるロック保持部と、
（ｆ）ロック部であって、
係止片の前記基端部に設けられ、
テンプルがヒンジによって開いた眼鏡使用状態で、ロック保持部によって、係止片の閉じた状態を保持し、
テンプルがヒンジによって閉じた眼鏡不使用状態で、ロック保持部によって、係止片の開いた状態を許容するロック部とを含むことを特徴とする眼鏡である。
【０００９】
本発明に従えば、レンズ部材５の両端部には、たとえば係止孔２３などのような第１係止部が形成され、フレームには、この第１係止部に係止、離脱することができる第２係止部、たとえば係止凸部３８が設けられる。係止片７は、その基端部１３が、もう１つのヒンジ８などによってフレーム２に角変位可能に設けられる。テンプルの基端部１１に設けられたロック保持部１２は、係止片７の基端部１３に設けられたロック部１４と協働し、テンプルが開いた眼鏡使用状態では、ロック保持部１２は、係止片の閉じた状態を保持し、したがってレンズ部材の第１係止部２３とフレームに設けられた第２係止部３８との係止状態を、係止片７の遊端部４１が第２係止部３８の先端部３９に当接または近接することによって保つ。したがってレンズ部材がフレームから外れることが防がれる。
【００１０】
テンプルがヒンジ４によって閉じた眼鏡不使用状態では、ロック保持部１２とロック部１４とが協働し、係止片７の遊端部４１が第２係止部３８の先端部３９から離間する。これによって係止片の開いた状態を可能にし、そのためレンズ部材をフレームから取外すことが可能になる。
【００１１】
また本発明は、係止片の遊端部と第２係止部の先端部との近接する方向の磁気吸引力を、永久磁石片によって発生することを特徴とする。
【００１２】
本発明に従えば、係止片の遊端部と第２係止部の先端部との間に、永久磁石片３８，４３の磁気吸引力を作用させる。これによってテンプルがヒンジによって閉じた眼鏡不使用状態で、ロック保持部がロック部による係止片の開いた状態を許容しても、レンズ部材がフレームから不所望に離脱して外れてしまうおそれがない。これによってしたがってレンズ部材およびフレームのテーブルなどからの落下、損傷などを防ぐことができる。
【００１３】
また本発明は、（ａ）フレームの両端部に、テンプルの基端部が、第１ヒンジによって設けられ、
（ｂ）両端部に、係止孔がそれぞれ形成されるレンズ部材と、
（ｃ）係止片であって、
この係止片の基端部は、フレームを前記両端部に、第１ヒンジの軸線と一仮想平面内で平行な軸線を有する第２ヒンジによって、設けられ、
係止片の遊端部は、係止片の開いた状態で、レンズ部材が取外し可能に係止凸部の先端部から離間し、
係止片の閉じた状態で、係止凸部の先端部に当接または近接してレンズ部材の取外しを防ぐ係止片と、
（ｄ）フレームの前記両端部よりも中央寄りに、それぞれ突設され、前記係止孔に挿脱自在に嵌まり込む係止凸部と、
（ｅ）テンプルの基端部に設けられるロック保持部と、
（ｆ）ロック部であって、
係止片の前記基端部に設けられ、
テンプルが第１ヒンジによって開いた眼鏡使用状態で、ロック保持部によって、係止片の閉じた状態を保持し、
テンプルが第１ヒンジによって閉じた眼鏡不使用状態で、ロック保持部によって、係止片の開いた状態を許容するロック部とを含むことを特徴とする眼鏡である。
【００１４】
また本発明は、係止凸部は、永久磁石片から成り、係止片の遊端部を磁気吸引することを特徴とする。
【００１５】
また本発明は、レンズ部材は、フレームに前掛け態様で設けられことを特徴とする。
【００１６】
本発明に従えば、フレームの両端部にテンプルの基端部が第１ヒンジ４によって設けられ、このフレームの両端部にはまた、第２ヒンジ８によって係止片の基端部が設けられ、レンズ部材には、その両端部に、第１係止部として働く係止孔２３がそれぞれ形成され、フレームの前記両端部よりも中央寄りには、第２係止部として働く係止凸部３８がそれぞれ突設され、この係止凸部にはレンズ部材の係止孔が挿脱自在に嵌まり込むことができる。係止凸部３８は、係止片７の遊端部４１を磁気吸引する永久磁石片から成ってもよい。本発明の実施の他の形態では、係止片の遊端部に永久磁石片を設けて磁気吸引力を発生するようにしてもよい。本発明の実施のさらに他の形態では、係止凸部と係止片の遊端部との両者を永久磁石片で構成し、磁気吸引力を発生するようにしてもよい。
【００１７】
テンプルの基端部に設けられたロック保持部１２と、係止片の基端部に設けられたロック部１４とが協働し、テンプルが第１ヒンジ４によって開いた眼鏡使用状態では、係止片７が閉じて係止片７の遊端部４１が係止凸部３８の先端部３９に当接または近接してレンズ部材５の係止孔２３から係止凸部３８が離脱してレンズ部材５が外れることを防ぐ。
【００１８】
テンプルが第１ヒンジ４によって閉じた眼鏡不使用状態では、係止片７の遊端部４１が係止凸部３８の先端部３９から離間することが許容される。これによってレンズ部材の係止孔から係止凸部を離脱し、レンズ部材をフレームから取外すことができ、たとえばレンズ部材を交換することもできる。レンズ部材はフレームに前掛け態様で設けられてもよいが、内掛け態様で設けられてもよい。
【００１９】
本発明の実施の一形態では、永久磁石片は設けられず、磁気吸引力が発揮されなくてもよい。
【００２０】
【発明の実施の形態】
図１は、本発明の実施の一形態の眼鏡１の一部の断面図である。眼鏡１は基本的に、フレーム２の両端部にテンプル３が第１ヒンジ４によって角変位可能に設けられ、フレーム２にはこのフレーム２の前方にサングラスのための着色されたレンズ部材５が前掛け態様で着脱可能に取付けられる。このレンズ部材５のフレーム２への取付けを確実にするために係止片７が第２ヒンジ８によって角変位可能に設けられる。テンプル３の基端部１１に設けられるロック保持部１２と、係止片７の基端部１３に設けられたロック部１４とは、ロック機構１５を構成する。
【００２１】
図２は、眼鏡１の平面図である。テンプル３は、第１ヒンジ４によって前述のように角変位可能であり、参照符３ａは、眼鏡使用状態における開かれた状態を示すテンプルを示し、参照符３ｂは眼鏡不使用状態における閉じられたテンプルを示し、このテンプル３ｂは、折りたたまれている。
【００２２】
図３は眼鏡１の正面図であり、図４は眼鏡１の側面図である。図５は、眼鏡１の一部を分解して示す斜視図である。フレーム２は、左右対称の構造を有し、リム部１７と、これらのリム部１７を連結するブリッジ部１８と、リブ部１７に連なるフレーム２の両端部１９とを有する。フレーム２には、前掛け態様でレンズ部材５が配置される。
【００２３】
図６は、レンズ部材５の正面図である。レンズ部材５は、たとえば橙色、水色などに着色された透光性合成樹脂またはガラス材料などから成り、左右のレンズ２１と、これらのレンズ２１を連結するくびれた連結部２２とが単一枚の板材の加工によって形成される。レンズ部材５のレンズ２１には、そのレンズ部材５の両端部で第１係止部を構成する係止孔２３が形成される。
【００２４】
フレーム２の端部１９には、第１ヒンジ４を構成する上下に一対のヒンジ片２５，２６と、テンプル３の端部１１に形成されるヒンジ片２７と、ヒンジピン２８とを含み、テンプル３はヒンジピン２８の軸線まわりに前述の図２の参照符３ａ，３ｂで示されるように開閉の角変位自在である。ヒンジ片２５，２６間にヒンジ片２７が配置され、ヒンジピン２８は、これらのヒンジ片２５〜２７を挿通し、ヒンジ片２６のめねじにヒンジピン２８のおねじが螺合する。
【００２５】
フレーム２の端部１９において第１ヒンジ４よりも中央寄り、すなわちリム部１７およびブリッジ部１８寄りには、第２ヒンジ８のヒンジ片３１が設けられる。係止片７の基端部１３には、ヒンジ片３１を挟む一対のヒンジ片３２，３３が設けられる。ヒンジピン３４は、ヒンジ片３１〜３３を挿通し、ヒンジ片３３のめねじにヒンジピン３４のおねじが螺合する。係止片７の基端部１３には、ヒンジ片３１が緩やかに嵌まり込む細長い溝３５が形成され、構成の小形化が図られる。ヒンジピン２８，３４の各軸線２８ａ，３４ａ（後述の図８参照）は、眼鏡１の顔面への装着時の上下に延びる一仮想平面内で平行である。
【００２６】
フレーム２の端部１９にはまた、第２ヒンジ８よりも中央寄りに取付け凹所３７が形成され、この取付け凹所３７には、第２係止部を構成する係止凸部３８が部分的に嵌め込まれる。係止凸部３８は、直円柱状である。係止凸部３８は、永久磁石片によって構成されてもよい。係止凸部３８は、レンズ部材５の係止孔２３に挿脱自在に嵌め込まれ、その係止凸部３８の長さは、先端部３９が図１に明らかに示されるようにレンズ２１の表面とほぼ面一に滑らかに連なるように、またはレンズ２１の表面からわずかに凹んだ位置となるように定められる。
【００２７】
係止凸部３８に対応して、係止片７の遊端部４１には、取付け凹所４２が形成され、この取付け凹所４２には、鉄などの強磁性材料または永久磁石片から成る磁気吸着片４３が固定される。磁気吸着片４３の先端部と係止片７の表面とは、図１に明らかに示されるようにほぼ面一に滑らかに連なる。こうして永久磁石片から成る係止凸部３８の先端部３９と係止片７の遊端部４１に固定された磁気吸着片４３との間には、磁気吸引力が作用し、相互に当接することができる。本発明の実施の他の形態では、係止凸部３８の先端部３９と磁気吸着片４３の先端部との間には、わずかな間隙が存在し、相互に磁気吸引力が作用した状態となっていてもよい。
【００２８】
本発明の実施の他の形態では、磁気吸着片４３が永久磁石片によって構成され、係止凸部３８が鉄などの強磁性材料から成ってもよい。本発明の実施のさらに他の形態では、係止凸部３８と磁気吸着片４３との両者は、相互に磁気吸引力を発生する永久磁石片によって実現されてもよい。本発明の実施のさらに他の形態では、係止凸部３８は磁化されておらず、磁気吸着片４３およびそれが取付けられる取付け凹所４２が形成されず、係止片７の遊端部４１が係止凸部３８の先端部３９に当接または近接するように構成されてもよく、この場合、磁気吸引力は存在しない。
【００２９】
図７は、眼鏡１を顔面に装着した状態を示す前述の図１に対応する断面図である。前述の図１では、テンプル３は矢符４４の方向にヒンジ４によって角変位され、図２の参照符３ｂで示される眼鏡不使用状態となっている。これに対して図７では、テンプル３は矢符４５で示されるようにヒンジ４によって開いた眼鏡使用状態となっており、図２の参照符３で示される角変位状態と同様である。ロック機構１５を構成するロック保持部１２は、テンプル３の基端部１１におけるヒンジ４に関して顔面（図１および図７の右方）から遠ざかった外方（図１および図７の左方）に設けられる。ロック機構１５を構成するもう１つのロック部１４は、前述のように係止片７の基端部１３に、第２ヒンジ８よりもフレーム２の外側方に突出して形成される。このロック部１４には、ロック保持部１２に臨むロック面４７が形成される。
【００３０】
図８は、ロック機構１５付近の図７における簡略化した拡大平面図である。ロック面４７は、ロック保持部１２のロック当接部４８が第１ヒンジ４の軸線２８ａを中心とする半径Ｒ４８の仮想円４９に関して、このロック当接部４８がロック面４７に当接している図７および図８の状態で、ロック面４７に沿って第２ヒンジ８の軸線３４ａ寄りに近づくにつれて、第１ヒンジ４の軸線２８ａとの距離が短くなるように傾斜した一平面である。このロック面４７は、軸線２８ａ，３４ａに平行である。
【００３１】
したがってテンプル３が第１ヒンジ４によって図１の矢符４４のように折りたたまれて閉じられるとき、ロック当接部４８は、仮想円４９の軌跡をたどり、ロック面４７から離間する。したがって係止片７は、第２ヒンジ８によって図１に示されるように開くことが許容される。ロック面４７とロック当接部４８とが図７および図８に示されるように当接している状態で、係止凸部３８の先端部３９に、磁気吸着片４３が当接した状態が保たれ、相互に磁気吸着されている。
【００３２】
このテンプル３を、図７の矢符４５で示されるように開いて眼鏡使用状態であるとき、図８に示されるように、ロック当接部４８はロック面４７に当接し、これによってロック部１４は、第２ヒンジ８の軸線３４ａのまわりに係止片７の遊端部４１がレンズ部材５およびフレーム２に近づく方向に、すなわち図８における軸線３４ａのまわりに反時計方向に角変位するモーメントが作用する。これによってロック機構１５による係止片７の外部からの衝撃によるレンズ部材５の離脱を確実に防ぐことが可能になる。本発明の実施の他の形態では、ロック面４７とロック当接部４８とが当接している状態で、係止片７の遊端部４１は、レンズ部材５の両端部の前面に当接し、磁気吸着片４３が係止凸部３８とわずかに離間しているように構成されてもよい。
【００３３】
フレーム２には、たとえば透明なレンズが装着される構成であってもよい。レンズ部材５は、ブリッジに連結された一対のリムにレンズが装着された構成であってもよく、また、リムまたはフレームの両端部にヨロイが設けられた構成などであってもよい。
【００３４】
再び図５を参照して、フレーム２のブリッジ部１８の背面には、細長い支持部材６１の一端部が溶接されて固定され、他端部には鼻当てパッド６２が取付けられる。このブリッジ部１８の下面には、支持体６４の垂下部６５の上端面が溶接されて固定される。垂下部６５の下部には、軸直角断面がほぼＵ字状の受け部６６が固定される。この受け部６６の受け溝６７には、レンズ部材５の連結部２２の下部６８が受けられる。こうしてレンズ部材５の連結部２２が受け部６６によって受けられた状態で、係止孔２３には、係止凸部３８が挿入される。
【００３５】
【発明の効果】
本発明によれば、フレームに設けられたテンプルのヒンジによる開閉動作に連動して、レンズ部材をフレームから着脱自在とし、このテンプルが開かれた眼鏡使用状態では、レンズ部材がフレームから外れることはない。したがって眼鏡の装着時、衝撃力が作用しても、レンズ部材がフレームから離脱してしまうおそれはなく、レンズ部材が落下、損傷することはない。
【図面の簡単な説明】
【図１】本発明の実施の一形態の眼鏡１の一部の断面図である。
【図２】眼鏡１の平面図である。
【図３】図３は眼鏡１の正面図である。
【図４】眼鏡１の側面図である。
【図５】眼鏡１の一部を分解して示す斜視図である。
【図６】レンズ部材５の正面図である。
【図７】眼鏡１を顔面に装着した状態を示す前述の図１に対応する断面図である。
【図８】ロック機構１５付近の図７における簡略化した拡大平面図である。
【符号の説明】
１  眼鏡
２  フレーム
３  テンプル
４  第１ヒンジ
５  レンズ部材
７  係止片
８  第２ヒンジ
１１  テンプル３の基端部
１２  ロック保持部
１３  係止片７の基端部
１４  ロック部
１５  ロック機構
２３  係止孔
３８  係止凸部
３９  先端部
４１  遊端部
４３  磁気吸着片
４７  ロック面
４８  ロック当接部
【図１】
2004325512.tif 000003
【図２】
2004325512.tif 000004
【図３】
2004325512.tif 000005
【図４】
2004325512.tif 000006
【図５】
2004325512.tif 000007
【図６】
2004325512.tif 000008
【図７】
2004325512.tif 000009
【図８】
2004325512.tif 000010